【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
下記の一般式：
【化１】
2008523958.tif 000001
（式中、Ｒ１、Ｒ２は独立して、Ｃ１〜Ｃ６アルキルである；Ｒ３はフェニルである；Ｒ４はフェニルまたはＣ１〜Ｃ６アルキルである；Ｒ５はＣＦ３（ＣＨ２）ｘ（式中、ｘは１〜５である）である；Ｒ６はＣ１〜Ｃ６アルキルまたはフルオロアルキルである；ｌは０〜０．９５のモル分率範囲である；ｍは０〜０．７のモル分率範囲である；ｎは０〜０．６５のモル分率範囲である）
を有し、少なくとも１つの末端ヒドロキシアルキル基を有することを特徴とする線状ポリシロキサンコポリマー。
【請求項２】
１ｇ／ｃｍ３よりも大きい密度および１．４０〜１．４５の屈折率を有する、請求項１に記載の線状ポリシロキサンコポリマー。
【請求項３】
塩基触媒による重合と、酸触媒による再分布化との組合せを含むプロセスによって得られ、１ｇ／ｃｍ３よりも大きい密度および１．４０〜１．４５の屈折率を有する、請求項１に記載の線状ポリシロキサンコポリマー。
【請求項４】
前記少なくとも１つの末端基が、ヒドロキシエチル、ヒドロキシプロピル、ヒドロキシブチル、ヒドロキシペンチル、ヒドロキシヘキシル、ヒドロキシヘプチルおよびヒドロキシオクチルからなる群から選択される、請求項１に記載の線状ポリシロキサンコポリマー。
【請求項５】
前記末端基がヒドロキシヘキシルである、請求項４に記載の線状ポリシロキサンコポリマー。
【請求項６】
Ｒ１、Ｒ２およびＲ６がメチルであり、Ｒ１およびＲ２は独立しており、Ｒ３およびＲ４がフェニルであり、かつ、Ｒ５が３，３，３−トリフルオロプロピルであるランダム分布ターポリマーである、請求項１に記載の線状ポリシロキサンコポリマー。
【請求項７】
（ａ）シロキサンモノマーを塩基触媒による重合反応において重合する工程；
（ｂ）末端アルキル基を酸触媒による再分布化プロセスによって工程（ａ）のポリマーに導入する工程；および
（ｃ）工程（ｂ）で得られたポリマーを加水分解して、ヒドロキシアルキル末端ポリシロキサンを得る工程
を含む、線状シロキサンポリマーの製造方法。
【請求項８】
前記シロキサンモノマーの前記重合が開環重合である、請求項７に記載の方法。
【請求項９】
前記シロキサンモノマーの前記開環重合および官能基化がプロセスの同じ工程において行われる、請求項８に記載の方法。
【請求項１０】
酸触媒による前記再分布化プロセスが１，３−ビス（６−ヒドロキシアルキル）−テトラジメチルジシロキサン型エンドキャップ剤の存在下で行われる、請求項７に記載の方法。
【請求項１１】
ａ．少なくとも１つの末端ヒドロキシアルキル基を有する線状ポリシロキサンコポリマーを請求項７に記載の方法によって製造する工程；
ｂ．前記コポリマーの前記少なくとも１つの末端ヒドロキシアルキル基を少なくとも１つのアクリルアルキル基に変換する工程；
ｃ．ｂ．で得られたコポリマーを医学的に許容され得る光開始剤と混合する工程；
ｄ．ｃ．で得られた混合物を眼の空の水晶体嚢の中に注入する工程；および
ｅ．重合を開始させ、従って、眼内レンズを眼の水晶体嚢において作製する工程
を含む、眼内レンズを作製する方法。
【手続補正２】
【補正対象書類名】明細書
【補正対象項目名】００５２
【補正方法】変更
【補正の内容】
【００５２】
本明細書中に記載される具体的な実施形態または実施例は単に例示にすぎず、請求項によって規定される発明の限定であることは意図されない。請求項によって規定される本発明の様々な形態のさらなる実施形態および実施例、ならびに／あるいは、本明細書中に示される具体的な実施形態および実施例に対して等価であるさらなる実施形態および実施例が、当業者には明らかであり得るし、また、請求項に記載される発明の範囲に含まれる。
本明細書の当初の開示は、少なくとも下記の態様を包含する。
〔１〕少なくとも１つの末端ヒドロキシアルキル基を有する線状ポリシロキサンコポリマー。
〔２〕１ｇ／ｃｍ３よりも大きい密度および１．４０〜１．４５の屈折率を有する、〔１〕に記載の線状ポリシロキサンコポリマー。
〔３〕塩基触媒による重合と、酸触媒による再分布化との組合せを含むプロセスによって得られ、１ｇ／ｃｍ３よりも大きい密度および１．４０〜１．４５の屈折率を有する、〔１〕に記載の線状ポリシロキサンコポリマー。
〔４〕前記少なくとも１つの末端基が、ヒドロキシエチル、ヒドロキシプロピル、ヒドロキシブチル、ヒドロキシペンチル、ヒドロキシヘキシル、ヒドロキシヘプチルおよびヒドロキシオクチルからなる群から選択される、〔１〕に記載の線状ポリシロキサンコポリマー。
〔５〕前記末端基がヒドロキシヘキシルである、〔４〕に記載の線状ポリシロキサンコポリマー。
〔６〕下記の一般式：
【化１】
2008523958.tif 000002
（式中、Ｒ１、Ｒ２およびＲ６は独立して、Ｃ１〜Ｃ６アルキルである；Ｒ３およびＲ４は独立してフェニルまたはＣ１〜Ｃ６アルキルである；Ｒ５はＣＦ３（ＣＨ２）ｘ（式中、ｘは１〜５である）である；ｌは０〜０．９５のモル分率範囲である；ｍは０〜０．７のモル分率範囲である；ｎは０〜０．６５のモル分率範囲である）
を有する、〔１〕に記載の線状ポリシロキサンコポリマー。
〔７〕Ｒ１、Ｒ２およびＲ６がメチルであり、Ｒ３およびＲ４がフェニルであり、かつ、Ｒ５が３，３，３−トリフルオロプロピルであるランダム分布ターポリマーである、〔６〕に記載の線状ポリシロキサンコポリマー。
〔８〕少なくとも１つの末端ヒドロキシアルキル基を有する線状ポリシロキサンコポリマーを含み、前記少なくとも１つのヒドロキシアルキル基がアクリル基に変換されている、眼の水晶体嚢において眼内レンズを形成するために好適な注入可能な眼用組成物。
〔９〕医学的に許容され得る光開始剤をさらに含む、〔８〕に記載の注入可能な眼用組成物。
〔１０〕前記医学的に許容され得る光開始剤がＵＶ光開始剤または青色光光開始剤である、〔９〕に記載の注入可能な眼用組成物。
〔１１〕ＵＶ吸収剤をさらに含む、〔９〕に記載の注入可能な眼用組成物。
〔１２〕少なくとも１つの末端ヒドロキシアルキル基を有する線状ポリシロキサンコポリマーをそれぞれの官能性コポリマーが含む二官能性コポリマーおよび一官能性コポリマーと、前記官能性コポリマーと本質的には同じ構造を有する非官能性コポリマーとの混合物を含む、眼の水晶体嚢において眼内レンズを形成するために好適な注入可能な眼用組成物。
〔１３〕（ａ）シロキサンモノマーを塩基触媒による重合反応において重合する工程；
（ｂ）末端アルキル基を酸触媒による再分布化プロセスによって工程（ａ）のポリマーに導入する工程；および
（ｃ）工程（ｂ）で得られたポリマーを加水分解して、ヒドロキシアルキル末端ポリシロキサンを得る工程
を含む、線状シロキサンポリマーの製造方法。
〔１４〕前記シロキサンモノマーの前記重合が開環重合である、〔１３〕に記載の方法。
〔１５〕前記シロキサンモノマーの前記開環重合および官能基化がプロセスの同じ工程において行われる、〔１４〕に記載の方法。
〔１６〕酸触媒による前記再分布化プロセスが１，３−ビス（６−ヒドロキシアルキル）−テトラジメチルジシロキサン型エンドキャップ剤の存在下で行われる、〔１３〕に記載の方法。
〔１７〕ａ．少なくとも１つの末端ヒドロキシアルキル基を有する線状ポリシロキサンコポリマーを〔１３〕に記載の方法によって製造する工程；
ｂ．前記コポリマーの前記少なくとも１つの末端ヒドロキシアルキル基を少なくとも１つのアクリルアルキル基に変換する工程；
ｃ．ｂ．で得られたコポリマーを医学的に許容され得る光開始剤と混合する工程；
ｄ．ｃ．で得られた混合物を眼の空の水晶体嚢の中に注入する工程；および
ｅ．重合を開始させ、従って、眼内レンズを眼の水晶体嚢において作製する工程
を含む、眼内レンズを作製する方法。
〔１８〕ａ．少なくとも１つの末端ヒドロキシアルキル基を有する線状ポリシロキサンコポリマーを含み、前記少なくとも１つのヒドロキシアルキル基がアクリル基に変換されている組成物を眼の空の水晶体嚢の中に注入する工程；および
ｂ．重合反応を開始させ、それにより、眼内レンズを得る工程
を含む、眼内レンズを作製するための方法。
〔１９〕前記重合反応が光重合反応である、〔１８〕に記載の、眼内レンズを作製するための方法。